(57)【要約】【課題】本発明は上下に可動する電極部を備えた除菌加湿装置に関するもので、可動電線の耐久性の向上ができるものである。【解決手段】電極部材８が上下方向に移動する電極通路１８とを備え、電極通路１８は、軸方向が上下方向の上面が塞がれた筒形状であり、上部の一方側には外方に膨らんだ膨張部１９を有し、電極部材８は、上部から電極通路１８の上面へ延びた電線２０を有し、電線２０は、膨張部内に設けられた支持部２１に一部が固定され、電極部材８が電極通路１８内を上方に移動するときには、電線２０の一部は膨張部１９内で輪状となることを特徴としたものである。これにより、電極部材８が上方に移動する際、支持部２１までは段階的に曲率を落とし輪形状を形成し、支持部２１以降は輪形状を保ちながら膨張部１９内へ引き込まれる動作をすることで、電線２０への過度な屈曲を抑制することができ、電極部材８の耐久性を向上させることができる。【選択図】  図４
2019027679.tif 000002
【特許請求の範囲】
【請求項１】
本体ケースと、
前記本体ケース内に設けた上方が開口した椀形状の貯水容器と、
前記貯水容器の水を電気分解する電極部材と、
前記電極部材が上下方向に移動する電極通路とを備え、
前記電極通路は、
軸方向が上下方向の上面が塞がれた筒形状であり、
上部の一方側には外方に膨らんだ膨張部を有し、
前記電極部材は、上部から前記電極通路の前記上面へ延びた電線を有し、
前記電線は、前記膨張部内に設けられた支持部に一部が固定され、
前記電極部材が前記電極通路内を上方に移動するときには、前記電線の一部は前記膨張部内で輪状となることを特徴とする除菌加湿装置。
【請求項２】
前記電極部材の上部には、前記電線を固定する固定部を有し、
前記固定部は、前記膨張部と前記電極通路を連通する開口における水平方向の一方側に配置され、
前記電線は、前記膨張部と前記電極通路を連通する開口における水平方向の一方側から他方側へ延びることを特徴とする請求項１に記載の除菌加湿装置。
【請求項３】
前記電線は、前記支持部内を前記膨張部における水平方向へ移動可能に装着されていることを特徴とする請求項１または２に記載の除菌加湿装置。
【請求項４】
前記電極部材が前記電極通路内を下方に移動するときには、前記電線の直線状となることを特徴とする請求項１から３のいずれかに記載の除菌加湿装置。
【請求項５】
前記電線は、前記支持部内を前記膨張部における上下方向へ移動可能に装着されていることを特徴とする請求項４に記載の除菌加湿装置。
【発明の詳細な説明】
【技術分野】
【０００１】
本発明は、上下に可動する電極部材を備えた除菌加湿装置に関するものである。
【背景技術】
【０００２】
従来、この種の除菌加湿装置は、吸気口と吹出口を有する本体ケースと、吸気口と吹出口とを連通する風路に設けた送風部と空気浄化部とを備え、空気浄化部は、水を貯水する貯水容器と、貯水容器に水を供給するタンクと、貯水容器に供給された水に下端が浸漬したフィルタと電極を備えた除菌加湿装置が知られている（特許文献１）。
【先行技術文献】
【特許文献】
【０００３】
【特許文献１】特開２０１７−１８３８８号公報
【発明の概要】
【発明が解決しようとする課題】
【０００４】
従来の除菌加湿装置は、本体ケースと、前記本体ケース内に設けた上方が開口した椀形状の貯水容器と、前記貯水容器の水を電気分解する電極部材と、前記電極部材が上下方向に移動する電極通路とを備え、前記電極通路は、軸方向が上下方向の上面が塞がれた筒形状であり、前記筒形状の外側で電線が可動する構成であった。そのため、電線の可動に十分なスペースを要し、商品の小型化を阻害するものであった。
【０００５】
そこで本発明は、商品の小型化、かつ可動電線の耐久性の向上を図ることを目的とするものである。
【課題を解決するための手段】
【０００６】
そして、この目的を達成するために、本発明は、
本体ケースと、前記本体ケース内に設けた上方が開口した椀形状の貯水容器と、前記貯水容器の水を電気分解する電極部材と、前記電極部材が上下方向に移動する電極通路とを備え、前記電極通路は、軸方向が上下方向の上面が塞がれた筒形状であり、上部の一方側には外方に膨らんだ膨張部を有し、前記電極部材は、上部から前記電極通路の前記上面へ延びた電線を有し、前記電線は、前記膨張部内に設けられた支持部に一部が固定され、前記電極部材が前記電極通路内を上方に移動するときには、前記電線の一部は前記膨張部内で輪状となることを特徴としたものであり、これにより所期の目的を達成するものである。
【発明の効果】
【０００７】
本発明によれば、本体ケースと、前記本体ケース内に設けた上方が開口した椀形状の貯水容器と、前記貯水容器の水を電気分解する電極部材と、前記電極部材が上下方向に移動する電極通路とを備え、前記電極通路は、軸方向が上下方向の上面が塞がれた筒形状であり、上部の一方側には外方に膨らんだ膨張部を有し、前記電極部材は、上部から前記電極通路の前記上面へ延びた電線を有し、前記電線は、前記膨張部内に設けられた支持部に一部が固定され、前記電極部材が前記電極通路内を上方に移動するときには、前記電線の一部は前記膨張部内で輪状となることを特徴としたものである。
【０００８】
以上の構成により、電極部材が上方に移動する際、支持部までは段階的に曲率を落とし輪形状を形成し、支持部以降は輪形状を保ちながら膨張部内へ引き込まれる動作をすることで、電線の過度な屈曲を抑制することができ、電極部材の耐久性を向上させることができる。
【図面の簡単な説明】
【０００９】
【図１】本発明の実施の形態１の除菌加湿装置を示す斜視図
【図２】同除菌加湿装置を示す斜視図
【図３】同除菌加湿装置の側面断面図
【図４】同除菌加湿装置の電極通路を示す正面断面図
【図５】同除菌加湿装置の電極通路を示す側面断面図
【図６】同除菌加湿装置の電極通路を示す拡大斜視図
【図７】同除菌加湿装置の電極通路を示す断面拡大図
【発明を実施するための形態】
【００１０】
以下、本発明の実施の形態について図面を参照しながら説明する。
【００１１】
（実施の形態１）
図１は、本発明の実施の形態１の除菌加湿装置の斜視図であり、除菌加湿装置を前面側から見た図である。図２は、本発明の実施の形態１の除菌加湿装置の斜視図であり、パネルを開いて除菌加湿装置を前面側から見た図である。
【００１２】
図３は、本発明の実施の形態１の除菌加湿装置の断面図であり、除菌加湿装置を右側から見た図である。
【００１３】
図１、２に示すように、本実施形態の除菌加湿装置は、略箱形状の本体ケース１を備え、本体ケース１の両側面には略四角形状の吸気口２を有している。本体ケース１は、床等の水平面に置かれる。本体ケース１の一方側の側面である第１の本体側面１Ａには、縦長四角形状の開口部５を備えている。本実施の形態では、第１の本体側面１Ａは、本体ケース１の前面側から見て、右側の側面である。本体ケース１の開口部５には開閉可能なパネル３を備え、パネル３を開くと開口部５からタンク部材１５、貯水容器１４を取り出すことが出来る。本体ケース１の一方側の側面の吸気口２は、パネル３に設けられている。本体ケース１の天面には、開閉式の吹出口４を備えている。図１、２では、吹出口４は、閉じた状態である。
【００１４】
図３に示すように、本体ケース１内には、送風機６、加湿部３０を備えている。
【００１５】
送風機６は、本体ケース１の中央部に設けられ、モータ部９と、モータ部９により回転するファン部１０と、それらを囲むケーシング部１１とを備えている。ファン部１０は、シロッコファンで、モータ部９から水平方向に延びたモータ軸（図示せず）に固定され、モータ部９は、ケーシング部１１に固定されている。ケーシング部１１は、上方に吐出口１２を備え、本体ケース１における背面側に吸込口１３を有している。吐出口１２は、本体ケース１の吹出口４に向けられている。
【００１６】
送風機６を運転すると、加湿部３０、送風機６を経由して吹出口４から加湿された空気を吹き出す（風路１７）。
【００１７】
水を貯水する貯水容器１４は、貯水容器１４に水を供給するタンク部材１５と、貯水容器１４内の水に一部が浸漬するフィルタ１６を装着するようになっている。フィルタ１６は、水を保有する繊維材を円筒状に編んで形成されたものである。そして、この円筒状のフィルタ１６は、中心部を保持部材７で支持されて円筒形状を保持している。保持部材７は、中心部に回転軸を備え、回転軸を中心に略円柱形状となっている。フィルタ１６は、この保持部材７を中心にして被せるようにして支持させている。また、貯水容器１４とフィルタ１６は、送風機６より下方に配置されている。
【００１８】
貯水容器１４は、天面を開口した箱形状をしており、水を貯水できる構造となっている。また、貯水容器１４は、本体ケース１の下部に配置され、本体ケース１から水平方向にスライドして着脱可能となっている。詳しくは、貯水容器１４は、開口部５から第１の本体側面１Ａと直交する方向に引き出し、挿入することが可能となっている。
【００１９】
タンク部材１５は、本体ケース１内部の一方側の側面に接して設置され、パネル３を開いた状態で、貯水容器１４から着脱可能な構造となっている。
【００２０】
フィルタ１６は、貯水容器１４に貯水された水と、送風機６によって本体ケース１内に吸込まれた室内空気とを接触させる部材である。フィルタ１６は、円筒状に構成され、円周部分に空気が流通可能な孔を備え、その一端が貯水容器１４の水に浸漬するように、フィルタ１６の中心軸を回転中心として貯水容器１４に回転自在に内蔵されている。そして、フィルタ１６は、駆動部（図示しない）によって回転され、水と室内空気を連続的に接触させる構造となっている。
【００２１】
また、フィルタ１６は、貯水容器１４を本体ケース１から取り出した状態で、貯水容器１４から着脱できるようになっている。
【００２２】
電極部材８は、貯水容器１４内の水に浸かるように設置され、電極部材８に通電し、貯水容器１４内の塩化物イオンを含む水（本実施の形態では水道水に塩化ナトリウムを溶解させた水）を電気化学的に電気分解することにより、電解水を生成させる。詳しくは後述するが、電極部材８は、電極通路１８内を上下に移動できる構造となっている。
【００２３】
本体ケース１内には、吸気口２と吹出口４とを連通する風路１７を備えている。この風路１７には、吸気口２から順に、保持部材７（貯水容器１４、フィルタ１６）、送風機６、吹出口４が配置されている。モータ部９によってファン部１０が回転すると、吸気口２から風路１７内に入った外部の空気は、順に、フィルタ１６、送風機６、吹出口４を介して、吹き出される。
【００２４】
図４は、本発明の実施の形態１の除菌加湿装置における正面から見た、電極通路の断面図である。図５は、本発明の実施の形態１の除菌加湿装置における側面から見た、電極通路の断面図である。
【００２５】
図４、５に示すように、電極通路１８は、軸方向が上下方向であって、上面が塞がれた筒形状である。そして、電極通路１８の上部には、外方に膨らんだ膨張部１９が設けられている。電極部材８は、電極通路１８の上面へ延びた電線２０を有している。電線２０は、膨張部１９内に設けられた支持部２１に一部が支持される構造となっている。言い換えると、膨張部１９は、電極通路１８に隣接して連通し、壁面に囲まれた箱形状の空間であって、電線２０が収められた空間となっている。
【００２６】
電線２０は塩化ビニールの絶縁体に包まれた導体であり、２本の絶縁電線で構成されている。電線２０の１本は、電極部材８の正電極に接続され、他方は負電極に接続されている。
【００２７】
図６に示すように、電極通路１８の内壁面には、電極部材８を上下方向に移動を規制する移動レール３１が設けられている。本実施の形態では、この移動レール３１は、電極通路１８の壁面を貫通した上下方向に長い開口となっている。電極部材８は、移動レール３１側に突出したレール用突起（図示せず）を有し、移動レール３１にこのレール用突起を嵌合させている。そして、電極部材８は、前記レール用突起を移動レール３１に嵌合した
状態で、移動レール３１に沿って上下方向に移動ができるようになっている。電極通路１８の内壁面には、電極部材８が上位置で固定できる突起２２を備え、電極部材８が上位置で移動しないよう、保持できるようにしている。また、電極部材８は、移動レール３１の下端で電極部材８の下位置となるよう保持している。すなわち、電極部材８は上位置と下位置の間を上下方向に自在に移動できるようになっている。
【００２８】
また、電極通路１８の上面には電線２０を固定する保持部２４を有し、電線２０は、保持部２４と支持部２１の間で、その形状をほとんど変えない状態で保持されている。一方、電線２０は、保持部２４と電極部材８の間においては、電極部材８が上下方向に移動することによって屈曲できるようになっている。
【００２９】
支持部２１は、可とう性を有する樹脂片を曲げて設けられたもので、円弧状の電線保持部と直線状の保持部を有している。支持部２１は、膨張部１９内であって、膨張部１９の上下方向の中間位置付近に設けられている。この支持部２１の上下方向の位置は、厳密に上下中心ではなくてもよく、支持部２１の上下において、膨張部１９内に電線２０を収めることができる十分な空間があれば良い。
【００３０】
以上の構成において、電極部材８を電極通路１８内で上下方向に移動させたときの電線２０の状態を説明する。電極部材８が下位置にあるとき、電線２０は、ほとんど屈曲せずに保持部２４から支持部２１を経由して電極部材８につながって張られた状態となっている。支持部２１は、電線２０を保持することで、電極部材８が上下に移動する際に電線２０の可動方向を規制し、電線２０の屈曲を抑制している。電線２０は、電極部材８が下位置から徐々に上へ可動するとき、支持部２１で電線２０の中間箇所を保持した状態なので、電線２０は、支持部２１よりも下方においては、徐々に曲率を上げ、円弧を描くように屈曲する。そして電極部材８の電線２０の接続箇所（固定部２３）が、支持部２１よりも上方に移動するとき、電線２０の支持部２１と電極部材８との間は、輪状となる。すなわち、電線２０は、中間箇所を膨張部１９内の支持部２１で保持されているので、支持部２１よりも下方において膨張部１９内へ引き込まれるように、膨張部１９内で輪状を形成するのである（図７）。
【００３１】
このような構成によれば、本実施の形態の除菌加湿装置は、電極部材８が上下方向に移動する電極通路１８を備えている。電極通路１８の上部には、外方に膨らんだ膨張部１９を有している。電極部材８は、電極通路１８の上面へ延びた電線２０を有し、電線２０は、膨張部１９内に設けられた支持部２１に一部が固定されている。そして、電極部材８が電極通路１８内を上方に移動するときには、電線２０の一部は膨張部１９内で輪状となることを特徴としたものであるので、電極部材８が上方に移動する際、支持部２１までは段階的に曲率を上げて輪形状を形成し、支持部２１よりも下方では輪形状を保ちながら膨張部１９内へ引き込まれる動作をすることで、電線２０への過度な屈曲を抑制することができ、電極部材８の耐久性を向上させることができる。
【００３２】
また、電極部材８の上部には、電線２０を固定する固定部２３を有している。固定部２３は、膨張部１９と電極通路１８とが連通する開口における水平方向の一方側に配置されている。そして、電線２０は、膨張部１９と電極通路１８とが連通する開口における水平方向の一方側から他方側へ延びる構成としてもよい。これにより、電極通路１８の水平方向において、電線２０が屈曲するための十分な空間を持つことができる。従って、電極部材８が上側へ移動する時、電線２０は大きな輪状となるので、曲率を極度に上げることなく、電極部材８、および電線２０の耐久性を向上させることができる。
【００３３】
また、電線２０は、支持部２１内を膨張部１９における水平方向へ移動可能に装着される構成としてもよい。具体的には、支持部２１の円弧状の電線保持部の径を電線２０の径
より大きく確保し、電線保持部内を電線２０が水平方向に移動できるよう十分空間を設けた構造である。これにより、電極部材８の上下移動時に電線保持部と電線２０の接触抵抗を低減できる為、電極部材８の耐久性を向上させることができる。
【００３４】
また、電極部材８が電極通路１８を下方に移動するときには、電線２０の直線状となる構成としてもよい。すなわち、電極部材８と保持部２４の間の電線２０の長さが最小となる構成にすることで、電極通路１８内での電線２０のかみこみの頻度を低減させることができる。具体的には、電線２０の長さを最小にすることで、電極部材８が電極通路１８内を上方に移動する際、電線２０の一部は膨張部１９内で輪状となり、電極部材８と膨張部１９の隙間に電線２０が挟まる頻度を低減させるものである。
【００３５】
また、電線２０は、支持部２１内を膨張部１９における上下方向へ移動可能に装着される構成としてもよい。具体的には、支持部２１の円弧状の電線保持部の径を電線２０の径より大きく確保し、電線保持部内を電線２０が上下方向に移動できるよう十分空間を設けた構造である。これにより、電極部材８の上下移動時に電線保持部と電線２０の接触抵抗を低減できる為、電極部材８の耐久性を向上させることができる。
【産業上の利用可能性】
【００３６】
本発明にかかる除菌加湿装置は、家庭用や事務所用などに使用される加湿装置等として有用である。
【符号の説明】
【００３７】
１      本体ケース
１Ａ    第１の本体側面
２      吸気口
３      パネル
４      吹出口
５      開口部
６      送風機
７      保持部材
８      電極部材
９      モータ部
１０    ファン部
１１      ケーシング部
１２      吐出口
１３      吸込口
１４      貯水容器
１５      タンク部材
１６      フィルタ
１７      風路
１８      電極通路
１９      膨張部
２０      電線
２１      支持部
２２      突起
２３      固定部
２４      保持部
３０      加湿部
３１      移動レール
【図１】
2019027679.tif 000003
【図２】
2019027679.tif 000004
【図３】
2019027679.tif 000005
【図４】
2019027679.tif 000006
【図５】
2019027679.tif 000007
【図６】
2019027679.tif 000008
【図７】
2019027679.tif 000009